(57)【要約】【課題】  作業者によらず、建具全体を容易かつ適切に養生することが可能であって、劣化しにくく、廃棄資材を必要としない建具養生シートを提供する。【解決手段】  表面シートと、裏面シートを備え、表面シートは建具の表側面に位置し、裏面シートは建具の裏側面に位置するものであって、何れも伸縮性を有しており、表面シートと裏面シートが、上部と下部で繋がっている。【選択図】      図１
2016079701.tif 000002
【特許請求の範囲】
【請求項１】
表面シートと、裏面シートを備え、表面シートは建具の表側面に位置し、裏面シートは建具の裏側面に位置するものであって、何れも伸縮性を有しており、表面シートと裏面シートが、上部と下部で繋がっていることを特徴とする建具養生シート。
【発明の詳細な説明】
【技術分野】
【０００１】
本発明は、玄関ドアなどの建具を養生するための建具養生シートに関する。
【背景技術】
【０００２】
玄関ドアなどの建具を建て込む際には、建築工事中に建具の表裏面を傷付けることがないように、養生を行う。この養生は、従来、以下のように行われていた（玄関ドアの場合を例として挙げる）。まず、工場で製造されたドアは、段ボールで梱包されて、納材店へ納入される。納材店では、これを開梱し、梱包に使用されていた段ボールを、ドアの大きさに合わせた矩形に加工して、養生材として用いる。この際、図６（ａ）に示すように、ドアＤに設けられたハンドルＨやドアクローザＣと干渉しないように、段ボール１０１に切欠部１０２を設ける。そして、図６（ｂ）に示すように、加工した段ボール１０１をドアＤの表裏に当接させ、外周部をテープで貼って固定する。
【発明の概要】
【発明が解決しようとする課題】
【０００３】
しかしながら、このような従来の養生方法は、段ボールを建具の形状に合わせてその都度加工し、それをテープで固定しなければならず、作業に手間や時間がかかっていた。また、建具全体を養生して保護することは困難であり、たとえば玄関ドアの場合、見込面などは露出していた。さらに、段ボールは劣化しやすく、建築工事中に、色あせや破れが生じる場合があった。また、テープなどの廃棄資材を多用する点や、作業者によって、養生の仕上がりに差異が生じる点も問題であった。
【０００４】
本発明は、上記事情を鑑みたものであり、作業者によらず、建具全体を容易かつ適切に養生することが可能であって、劣化しにくく、廃棄資材を必要としない建具養生シートを提供することを目的とする。
【課題を解決するための手段】
【０００５】
本発明は、表面シートと、裏面シートを備え、表面シートは建具の表側面に位置し、裏面シートは建具の裏側面に位置するものであって、何れも伸縮性を有しており、表面シートと裏面シートが、上部と下部で繋がっていることを特徴とする。
【発明の効果】
【０００６】
本発明によれば、上下が繋がった表面シート及び裏面シートの左右側から建具を挿入するようにして、表面シート及び裏面シートを引き伸ばしながら建具に被せるだけでよく、建具に合わせた加工などが必要ないので、養生作業が非常に容易で、短時間で完了し、作業者によらず適切に養生できる。また、従来保護できなかった、建具の上下の見込面も覆うことができる。一方、左右の見込面は露出させることができるので、建具がドアであれば、養生した状態で建て込み及び開閉が可能である。さらに、表面シート及び裏面シートは再利用可能であり、テープなどの廃棄資材を必要としないので、環境負荷が小さく、段ボールのような劣化しやすい資材も必要ない。また、表面シート及び裏面シートが伸縮性を有するので、勝手違いや寸法違いの建具にも兼用することができる。
【図面の簡単な説明】
【０００７】
【図１】建具養生シートの全体図である。
【図２】（ａ）は表面シートの正面図、（ｂ）は裏面シートの正面図である。
【図３（ａ）】養生の手順を示す説明図（１）である。
【図３（ｂ）】養生の手順を示す説明図（２）である。
【図３（ｃ）】養生の手順を示す説明図（３）である。
【図３（ｄ）】養生の手順を示す説明図（４）である。
【図３（ｅ）】養生の手順を示す説明図（５）である。
【図３（ｆ）】養生の手順を示す説明図（６）である。
【図４】（ａ）〜（ｄ）は、ハンドル及び錠部分の養生についての説明図である。
【図５】建具養生シートにより養生した玄関ドアの正面図である。
【図６】（ａ）、（ｂ）は、従来の建具の養生方法についての説明図である。
【発明を実施するための形態】
【０００８】
以下、本発明の実施の形態を図面に基づいて説明する。なお、この建具養生シートは、種々の建具の養生に用いることができるが、ここでは玄関ドアを養生する場合を例に挙げる。建具養生シートは、図１及び図２に示すように、表面シート１と、裏面シート２を有する。表面シート１と裏面シート２は、何れも縦長の矩形で同じ大きさであり、伸縮性を有する布地からなる。この布地は三層構造であり、外側面は撥水加工を施したＰＥサテン、内側面はＰＥベアテンジクからなり、両面の間にＰＥエステルからなる中綿を挟み込んであり、キルティング加工したものであって、伸縮率は約１８０％である。そして、この表面シート１と裏面シート２が、上部と下部で繋がっている。より詳しくは、図１に示すように、表面シート１と裏面シート２の上辺同士の間及び下辺同士の間に、伸縮性を有するナイロンフレンチパイルからなる矩形の側面シート３を挟んであり、側面シート３と、表面シート１及び裏面シート２の上下辺をそれぞれ縫い合わせてある。さらに側面シート３は、表面シート１及び裏面シート２の上下辺から、左右辺へと回り込んで延びており、側面シート３と、表面シート１及び裏面シート２の左右辺をそれぞれ縫い合わせてある。ただし、左右の側面シート３の長さは異なり、図１の左側においては、上下とも表面シート１及び裏面シート２の上下長さの１／３程度まで延びているのに対し、右側においては、その半分以下の長さとなっており、左右の何れにおいても、上下の側面シート３の間は開口している。この側面シート３が長い方が、ドアの戸先側に対応し、側面シート３が短い方が、ドアの吊元側に対応する。そしてこのように側面シート３を上下辺から左右辺へ回り込ませてあることで、建具養生シートの四つの角部に、表面シート１及び裏面シート２と側面シート３とで、袋状の引掛部４が形成され、養生時には、各引掛部４をそれぞれドアの角部に引っ掛けて取り付ける。なお、図２（ｂ）に示すように、裏面シート２の上部の吊元側部分だけは、側面シート３と縫い合わされておらず、上側切込部２１を形成してある。これは、ドアクローザに対応するためである。
【０００９】
また、表面シート１及び裏面シート２の、上下方向中央部の戸先側部分には、上下に延びる切込部５を形成してあり、切込部５の周囲は縫い付けて補強してある。この切込部５は、ドアのハンドル及び錠の位置に対応して設けられたものであり、養生時には、切込部５からハンドル及び錠を露出させる。さらに、切込部５の吊元側には、保護シート６を縫い付けて設けてある。保護シート６は、表面シート１及び裏面シート２と同じ布地からなり、矩形で切込部５を覆い隠せる大きさである。保護シート６の先端部と、表面シート１及び裏面シート２の切込部５の戸先側には、それぞれ面ファスナー６１，６２を取り付けてあり、切込部５から露出したハンドル及び錠を保護シート６で覆って、面ファスナー６１，６２で固定できる。また、表面シート１の、保護シート６の縫い付け部から、戸先側に向けて、固定帯７が延びている。固定帯７の先端部と、裏面シート２に縫い付けた保護シート６の基端部には、それぞれ面ファスナー７１，７２を取り付けてある。固定帯７は、ドアのラッチボルトやデッドボルトと干渉しない上下位置に設けてあり、表面シート１から、ドアの戸先側を回り込んで、裏面シート２（保護シート６）に面ファスナー７１，７２で固定される。この固定帯７は、表面シート１及び裏面シート２が、ドアの戸先側面に被さって、ラッチボルトやデッドボルトに噛み込むことがないように、表面シート１及び裏面シート２を押さえ込むためのものである。さらに、表面シート１及び裏面シート２の内側面に、一回り小さい矩形のナイロンフレンチパイルからなるシートを設けて、周囲を縫い合わせてあり、さらにシートを上下に六等分するように縫い付け、表面シート１及び裏面シート２の左右に切込８１を設けて、上下に六つ並ぶポケット部８を形成してある。このポケット部８に切込８１から緩衝板を挿入することで、さらに保護性を高めることができる。また、表面シート１の吊元側辺には、六本の帯状の面ファスナー３１を取り付けてあり、さらに表面シート１の上辺の吊元側部にも、一本の帯状の面ファスナー３２を取り付けてある。そして、裏面シート２の吊元側辺にも、表面シート１の面ファスナー３１，３２と接合する面ファスナー３３を取り付けてあり（一番上側の面ファスナー３３のみ、表面シート１の上辺の面ファスナー３２にも接合するために大きくしてある）、表面シート１の面ファスナー３１，３２が、ドアの見込面を回り込んで、裏面シート２の面ファスナー３３に接合する。
【００１０】
続いて、このように構成した建具養生シートによって、玄関ドアの養生を行う際の手順について説明する。なお、ここで例に挙げるドアＤは、図３（ａ）に示すように、アーチ型のハンドルＨを有し、その上下に錠Ｌを設けたものであり、室外側面を表側面、室内側面を裏側面とする（図３（ａ）〜（ｃ）、（ｅ）、（ｆ）は表側面の図であり、（ｄ）は裏側面の図である）。また、この建具養生シートＳは、全体が大きく伸びるものであるから、養生前の状態では、表面シート１及び裏面シート２はドアＤよりも小さいものである。そしてまず、ドアＤの戸先側から、建具養生シートＳを被せる。この際、建具養生シートＳの吊元側（図３（ａ）の右側）の方が、上下の側面シート３の間が広く開いているので、そこからドアＤを挿入するようにする。
【００１１】
図３（ｂ）に示すように、まず、ドアＤの上辺を建具養生シートＳの内側に納め、建具養生シートＳの上側の左右の引掛部４を、それぞれドアＤの上側の左右の角部に引っ掛ける。続いて、表面シート１及び裏面シート２を下方に引き伸ばして、ドアＤの下辺も建具養生シートＳの内側に納め、建具養生シートＳの下側の左右の引掛部４を、それぞれドアＤの下側の左右の角部に引っ掛ける。こうして、図３（ｃ）に示すように、表面シート１がドアＤの表側面に位置し、裏面シート２がドアＤの裏側面に位置する。
【００１２】
なお、図３（ｄ）に示すように、ドアＤの裏側面の上部の吊元側には、ドアクローザＣを設けてある。ドアクローザＣはドアＤの裏側面から突出しているが、裏面シート２の上部の吊元側部分には上側切込部２１を形成してあるので、ドアクローザＣが引っ掛かることなく、スムーズに裏面シート２を被せることができる。そして、建具養生シートＳの四つの引掛部４をドアＤの四つの角部に引っ掛けた後、表面シート１の吊元側辺の一番上側の面ファスナー３１と、上辺の面ファスナー３２を、ドアＤの見込面を回り込ませて、裏面シート２の一番上の面ファスナー３３に接合させ、裏面シート２を、ドアクローザＣ部分を覆った状態で固定する。
【００１３】
次に、図３（ｅ）に示すように、表面シート１及び裏面シート２のポケット部８に、それぞれの切込８１から、緩衝板９を挿入する。緩衝板９は、発泡材からなる矩形平板で、ポケット部８に丁度納まる大きさである。表裏の各ポケット部８に、計十二枚の緩衝板９を挿入することで、ドアＤの表側面と裏側面の大部分が、緩衝板９で覆われる。
【００１４】
次に、図３（ｆ）に示すように、表面シート１の吊元側辺の一番上側以外の五本の面ファスナー３１を、ドアＤの見込面を回り込ませて、裏面シート２の面ファスナー３３に接合させて、吊元側において、表面シート１と裏面シート２を固定する。
【００１５】
そして最後に、ドアＤのハンドルＨ及び錠Ｌ部分の養生を行う。まず、図４（ａ）に示すように、表面シート１の切込部５の位置を、ドアＤのハンドルＨ及び錠Ｌの位置に合わせて、切込部５からハンドルＨ及び錠Ｌを露出させる（裏面シート２についても同様にする）。続いて、図４（ｂ）及び図４（ｃ）（（ｃ）は（ｂ）の横断面図）に示すように、表面シート１に設けた固定帯７について、ドアＤの表側面と表側のハンドルＨの間を通し、ドアＤの戸先側を回り込ませ、さらにドアＤの裏側面と裏側のハンドルＨの間を通して、先端部に取り付けた面ファスナー７１を、裏面シート２の保護シート６の基端部に取り付けた面ファスナー７２に接合させる。その際、表面シート１及び裏面シート２の、切込部５より戸先側部分（１ａ部及び２ａ部）が、ドアＤの表側面及び裏側面に位置した状態で動かないように押さえ込む。これにより、表面シート１及び裏面シート２の切込部５より戸先側部分が、ドアＤの戸先側面に被さって、ラッチボルトやデッドボルトに噛み込むことを防いでいる。そして、図４（ｄ）に示すように、表面シート１に設けた保護シート６を切込部５に被せ、切込部５から露出したハンドルＨ及び錠Ｌを覆い隠し、保護シート６の先端部に取り付けた面ファスナー６１を、表面シート１の切込部５の戸先側に取り付けた面ファスナー６２に接合して、保護シート６を固定する（裏面シート２についても同様にする）。以上で、養生作業が完了する。
【００１６】
このようにして建具養生シートＳにより養生したドアＤは、図５に示すように、表側面の略全面が、表面シート１により覆われ、その大部分に緩衝板９を設けてあり、さらにハンドルＨ及び錠Ｌは、保護シート６により覆われている。そして、ドアＤは、養生された状態で建て込まれていて、ドア枠Ｆ内に納まっており、建築工事中において、資材や工具の衝突などから保護されている。また裏側面についても、裏面シート２により覆われ、表側面と同様に保護されている。
【００１７】
なお、工場で製造されたドアは、段ボールで梱包されて、納材店へ納入される。納材店では、これを開梱してドアを取り出し、建具養生シートによって養生する。そして、ドアは建具養生シートで養生された状態で、建築現場へと搬送され、そのまま建て込まれる。よって、この建具養生シートは、建築工事中のみならず、搬送中においてもドアを保護するものである。ここで、緩衝板については、納材店で挿入せずに、建築現場で建て込む際に挿入してもよい。そして、建築物が完成したら、建具養生シートは回収されて再利用される。
【００１８】
このような建具養生シートによれば、上下が繋がった表面シート及び裏面シートの左右側からドアを挿入するようにして、表面シート及び裏面シートを引き伸ばしながらドアに被せるだけでよく、ドアに合わせた加工などが必要ないので、養生作業が非常に容易で、短時間で完了し、作業者によらず適切に養生できる。そして、特に建具養生シートの四つの角部に引掛部を形成してあるので、表面シート及び裏面シートの位置決めが容易であって、ドアの角部を確実に保護できる。また、裏面シートの上部の吊元側部分に上側切込部を形成してあるので、ドアから突出して設けられたドアクローザ部分も確実に養生できる。さらに、表面シート及び裏面シートの上下が側面シートにより繋がっているので、従来保護できなかった、ドアの上下の見込面も覆うことができる。一方、表面シートと裏面シートの戸先側は、固定帯により固定し、表面シート及び裏面シートの吊元側は、帯状の面ファスナーにより固定するものであるから、左右の見込面の必要箇所を適宜露出させることができるので、戸先側のラッチボルト・デッドボルトや、吊元側の丁番に干渉することがなく、養生した状態で建て込み及び開閉が可能である。そして開閉に際しては、保護シートが伸縮性を有するものなので、ハンドルを保護シートで覆ったまま操作することができる。さらに、保護シートをめくるだけで、錠を表面シート及び裏面シートの切込部から露出させて、表面シート及び裏面シートにより養生したままの状態で、鍵を差し込んだりサムターンを回したりすることもできる。また、表面シート及び裏面シートのポケット部に緩衝板を挿入することで、より保護性を高めることができる。さらに、この建具養生シート（緩衝板を含む）は再利用可能であり、テープなどの廃棄資材を必要としないので、環境負荷が小さく、段ボールのような劣化しやすい資材も必要ない。また、表面シート、裏面シート、側面シート及び保護シートが伸縮性を有するので、勝手違いや寸法違いの建具にも兼用することができる。
【００１９】
本発明は、上記の実施形態に限定されない。たとえば、表面シート、裏面シート及び側面シートの素材については、伸縮性を有し、建具を保護できるものであればどのようなものであってもよいが、特に表面シート及び裏面シートの外側面は撥水性を有することが望ましい。また、各部の固定については、面ファスナーで接合する替わりに、紐で結ぶものであってもよい。さらに、緩衝板を挿入するポケット部は、表面シートと裏面シートの両方に設けることが望ましいが、何れか一方だけに設けてあってもよい。また、緩衝板の素材は、発泡材に限定されるものではなく、緩衝機能を有するものであればどのようなものであってもよい。
【符号の説明】
【００２０】
１  表面シート
２  裏面シート
【図１】
2016079701.tif 000003
【図２】
2016079701.tif 000004
【図３（ａ）】
2016079701.tif 000005
【図３（ｂ）】
2016079701.tif 000006
【図３（ｃ）】
2016079701.tif 000007
【図３（ｄ）】
2016079701.tif 000008
【図３（ｅ）】
2016079701.tif 000009
【図３（ｆ）】
2016079701.tif 000010
【図４】
2016079701.tif 000011
【図５】
2016079701.tif 000012
【図６】
2016079701.tif 000013